(57)【要約】【目的】  ダクト内を清浄にし、きれいな空気を室内に導入するダクト給気式換気設備を提供する。【構成】  各部屋（４）に分配給気を行うダクト給気式換気設備において、外気を外気吸込口（１）から取り入れてダクト（３）を通して各部屋（４）に分配するための中間ダクトファン（２）内部に、ダクト（３）内を浄化するための帯電微粒子水（６）を液体を霧化させて発生させる静電霧化装置（７）が配設されており、外気吸込口（１）は中間ダクトファン（２）からダクト（３）を通じて各部屋の給気口（１２）に連通していて、各部屋にきれいな空気が導入されるようにする。【選択図】図１
2005233589.tif 000002
【特許請求の範囲】
【請求項１】
各部屋に分配給気を行うダクト給気式換気設備において、外気を外気吸込口から取り入れてダクトを通して各部屋に分配するための中間ダクトファン内部に、ダクト内を浄化するための帯電微粒子水を発生させる静電霧化装置が配設されていることを特徴とするダクト給気式換気設備。
【請求項２】
請求項１に記載のダクト給気式換気設備において、屋外に連通する排気口が設けられた部屋と屋外に連通する排気口が設けられていない部屋とを連通させる通気口が設けられていることを特徴とするダクト給気式換気設備。
【請求項３】
排気口には排気ファンが設けられていることを特徴とする請求項２に記載のダクト給気式換気設備。
【発明の詳細な説明】
【技術分野】
【０００１】
この出願の発明は、換気設備に関するものである。さらに詳しくは、この出願の発明は、各部屋に分配給気を行うダクト給気式換気設備に関するものである。
【背景技術】
【０００２】
近年、居住環境の改善による健康で快適な生活への要求が高まり、とりわけ、住居等の断熱、密閉性が向上するにともなって、屋内の換気、室内空気の浄化が注目されている。屋内の換気は、新鮮な外気の導入によって行われるが、外気の汚れが問題となっている地域では外気を浄化する必要があり、周辺の住宅環境に左右されるのが実情である。特に幹線道路周辺では、大気汚染の要因となっているディーゼル車から排出される浮遊粒子物質や窒素酸化物等が問題となっており、これらに起因する喘息、また花粉等によるアレルギーの発症との関連からも外気の浄化導入が強く求められてきている。
【０００３】
このような外気の浄化導入の観点から、これまで、住宅等の建物内の換気設備では、たとえば図３に例示したように天井裏空間において、外気吸込口（１）とフィルタ（５）が設けられた中間ダクトファン（２）が設置され、中間ダクトファン（２）からは、各部屋（４）の給気口（７）と接続されたダクト（３）が配設されている。外気吸込口（１）から取り入れられた空気は、フィルタ（５）によって花粉や二酸化窒素、浮遊粒子状物質等が除去され、中間ダクトファン（２）によりダクト（３）を通り、給気口（７）から各部屋（４）に送られる。そして、各部屋（４）の空気は通気口（１３）を介して、トイレ（１５）、洗面所（１６）等の部屋の屋外と連通する排気口（１４）によって屋外へ排出されて、換気が行われる。このように、健康で快適な空気環境を創造するために、住宅全体に空気の流れを作り出すことで、カビやダニの発生をおさえ、結露の原因となる湿気や、建材・家具などから発生するホルムアルデヒトや揮発性有機化合物を排出することができるようにしている。
【０００４】
しかしながら、図３に例示した従来の換気設備においては、空気中の浮遊粒子状物質等をフィルタ（５）により除去して空気を浄化しているものであるが、中間ダクトファン（２）から各部屋に通じるダクト（３）内壁面等に付着した臭い、菌、ウィルス等については除去できないという問題があった。そこで、より一層きれいな空気を各部屋に導入するにはダクト内の清浄化が望まれるものの、いまだそのような換気設備は報告された例はない。
【０００５】
一方、空気浄化については、屋内空気の汚れ、ダニの発生、屋外からの花粉等に起因するアレルギーの発症との関連からも特に注目されており、これまで、屋内のゴミ、ダニ、花粉等の粉塵や臭気等を除去する手段として様々な方式の空気清浄機が開発され、実用に供されてきている。この空気清浄機の集塵除去機能、脱臭機能としては、いわゆるフィルタ方式になっており、集塵除去機能については十分実用に供するものであるが、脱臭機能については十分満足できる性能を発揮していないのが現状である。このため、衣類、壁、家具等に臭い物質が付着すると、上記の空気清浄機では除去することが困難であった。
【０００６】
そこで、これを解決する方法として、静電霧化手段を備えた空気清浄機（特許文献１）が開発されている。ここで、静電霧化とは、水等の液体を高電圧に印可することで水が霧化するものである。そして、霧化で発生した帯電微粒子水によって、室内壁面等に付着した臭いを除去するものである。さらに、この静電霧化装置を備えた空気清浄機によれば、菌、ウィルスも除去することが可能である。
【０００７】
そして、静電霧化装置から発生した帯電微粒子水は同極に帯電しているため、斥力によって広い範囲にわたり噴霧される。このため、この静電霧化装置を備えた空気清浄機によれば広い範囲にわたって臭い、菌、ウィルスが除去される。
【特許文献１】特開２００３−０７９７１４号公報
【発明の開示】
【発明が解決しようとする課題】
【０００８】
この出願の発明は、以上の通りの背景から、従来の換気設備における問題点を解消し、上記静電霧化装置による帯電微粒子水に注目することで、住宅等の建物のほぼ全域、あるいはその一部において、ダクト内を清浄にし、きれいな空気を室内に導入することのできる新しいダクト給気式換気設備を提供することを課題としている。
【課題を解決するための手段】
【０００９】
この出願の発明は、上記の課題を解決するものとして、第１には、各部屋に分配給気を行うダクト給気式換気設備において、外気を外気吸込口から取り入れてダクトを通して各部屋に分配するための中間ダクトファン内部に、ダクト内を浄化するための帯電微粒子水を発生させる静電霧化装置が配設されていることを特徴とするダクト給気式換気設備を提供する。
【００１０】
第２には、上記のダクト給気式換気設備において、屋外に連通する排気口が設けられた部屋と屋外に連通する排気口が設けられていない部屋とを連通させる通気口が設けられていることを特徴とするダクト給気式換気設備を提供する。
【００１１】
また、この出願の発明は、第３には、排気口には排気ファンまたは自然排気口が設けられていることを特徴とするダクト給気式換気設備を提供する。
【発明の効果】
【００１２】
この出願の発明の第１のダクト給気式換気設備によれば、ダクト内壁面等に付着した臭い、菌、ウィルス等が除去され、ダクト内を清浄にすることができ、きれいな空気を室内に導入することができる。
【００１３】
この出願の発明の第２のダクト給気式換気設備によれば、屋内の空気が通気口を通じての部屋間の空気の流れとして排出され、住宅等の建物の、あるいはその所定の領域の全体を効率的に換気することができる。
【００１４】
この出願の発明の第３のダクト給気式換気設備によれば、より効率良く換気することができる。
【発明を実施するための最良の形態】
【００１５】
この出願の発明は、上記のとおりの特徴をもつものであるが、以下、さらに詳しく発明の実施の形態について説明する。
【００１６】
図１は、この出願の発明のダクト給気式換気設備の一実施形態を模式的に例示した構成図である。この図１に沿って説明すると、この出願の発明のダクト給気式換気設備では、たとえば、外気吸込口（１）と連通された中間ダクトファン（２）が設けられており、中間ダクトファン（２）では外気吸込口（１）から外気を取り入れてダクト（３）を通じて各部屋（４）に分配するための集中給気が行われる。そしてこの中間ダクトファン（２）の外気吸込口（１）側には、好適にはフィルタ（５）が配設される。このフィルタ（５）によって、大気汚染の要因となっているディーゼル車から排出される浮遊粒子物質や窒素酸化物等、花粉や空気中に浮遊する細菌等を除去するようにしている。
【００１７】
さらに中間ダクトファン（２）内部には、帯電微粒子水（６）を発生させる静電霧化装置（７）が配設されている。静電霧化装置（７）としては、たとえば図２に示した装置が例示される。この静電霧化装置（７）は、液体（８）を溜める液溜め部（９）と、液溜め部（９）の液体（８）を霧化する霧化手段（１０）と、霧化手段（１０）によって霧化された帯電微粒子水（６）を搬送する搬送手段（１１）とを備えている。静電霧化装置（７）は、霧化手段（１０）によって、たとえば水に高電圧にかけることによって、水が次々と分裂し帯電した超微細な帯電微粒子水（６）が発生する。静電霧化された帯電微粒子水（６）には斥力が働くため、これを広範囲にわたって噴霧することができる。そしてこの帯電微粒子水（６）は粒子径がナノサイズであり、かつ強い電荷量を持っているので、ウィルスや菌の不活性化、脱臭、カビの除去やカビの防止に有効である。また、水以外の液体（８）としては、過酸化水素水、オゾン水、消臭液等の酸化作用を有するものや、水に界面活性剤、殺菌剤、抗ウィルス剤を分散させたものであってもよい。以上のような帯電微粒子水（６）によって、ダクト（３）の内壁面等に付着した臭い、菌、ウィルスを効果的に除去することが可能とされる。また、この静電霧化装置（７）においては、直流のマイナス電圧印加で静電霧化させた場合には、マイナスイオンを室内に搬送することができる。
【００１８】
この出願の発明のダクト給気式換気設備では、上記の図１の例のように、中間ダクトファン（２）に各部屋（４）の給気口（１２）に連通するダクト（３）を接続し、これによって、外気吸込口（１）から取り込まれた外気を、フィルタ（５）で濾過し、中間ダクトファン（２）と静電霧化装置（７）できれいに浄化した後に、ダクト（３）を経て、各部屋（４）の給気口（１２）を通じて各部屋（４）に供給することができるが、各部屋（４）の汚れた空気を、各部屋（４）から排気するための流路を適宜に構成することもできる。各部屋（４）から、個別的に屋外に直接排気するようにしてもよいし、あるいは、屋外に連通する排気口（１４）が設けられた部屋とこれを持たない部屋とを連通させる通気口（１３）を設けることで空気の流れを生じさせ、前記の屋外に連通する排気口（１４）から排気するようにしてもよい。図１ではこの後者の例を示している。すなわち、通気口（１３）を通じて、たとえばトイレ（１５）、洗面所（１６）等の部屋から屋外と連通する排気口（１４）によって屋外に排気されて換気される。
【００１９】
なお、排気口（１４）には自然排気口や排気ファン（１７）を設けることが好ましく、特にこの排気ファン（１７）によって各部屋（４）の空気の流れを確実なものとし、換気のより効果的な実効を図ることができる。
【００２０】
この発明は以上に例に限定されるものではなく、細部については様々な態様が可能であることは言うまでもない。
【００２１】
たとえば、静電霧化装置の設置位置、給気口、通気口、排気口等の設置位置などは、各々の役割を果たすことができる態様であれば上述した例に限定されることはない。
【図面の簡単な説明】
【００２２】
【図１】この出願の発明のダクト給気式換気設備の一実施形態を模式的に例示した構成図である。
【図２】この出願の発明の静電霧化装置を模式的に例示した図である。
【図３】従来のダクト給気式換気設備を模式的に例示した構成図である。
【符号の説明】
【００２３】
１  外気吸込口
２  中間ダクトファン
３  ダクト
４  部屋
５  フィルタ
６  帯電微粒子水
７  静電霧化装置
８  液体
９  液溜め部
１０  霧化手段
１１  搬送手段
１２  給気口
１３  通気口
１４  排気口
１５  トイレ
１６  洗面所
１７  排気ファン
【図１】
2005233589.tif 000003
【図２】
2005233589.tif 000004
【図３】
2005233589.tif 000005